(57)【要約】【課題】バルーン端部の外周面に設けたテープ状又は糸状の巻き付け部を、バルーン端部に巻き付けることによって、簡単に装着することのできる内視鏡装置用バルーン及びその装着方法を提供する。【解決手段】第１バルーン（内視鏡装置用バルーン）１００は、両端が絞られた筒状に形成され、バルーン端部１０２、１０２と膨縮部１０４で構成される。バルーン端部１０２の外周面には、テープ状部材１０６がバルーン端部１０２と一体成形によって形成されており、このテープ状部材１０６の片面に粘着剤層１０８が形成される。第１バルーン１００は、バルーン端部１０２の周りにテープ状部材１０６を巻き付けることによって挿入部１２に装着される。【選択図】      図２
2005270236.tif 000002
【特許請求の範囲】
【請求項１】
内視鏡装置のバルーン取付部にバルーン端部を被せて固定する内視鏡装置用バルーンにおいて、
前記バルーン端部の外周面からテープ状または糸状に引き出されるとともに粘着部分を有する巻き付け部が、前記バルーン端部と一体的に形成されることを特徴とする内視鏡装置用バルーン。
【請求項２】
前記バルーン端部には、前記巻き付け部が複数設けられ、該複数の巻き付け部を外側に引っ張ることによって前記バルーン端部が拡径されることを特徴とする請求項１に記載の内視鏡装置用バルーン。
【請求項３】
請求項１に記載された内視鏡装置用バルーンを内視鏡装置のバルーン取付部に装着する装着方法であって、
前記バルーン端部を前記バルーン取付部に被せ、
該バルーン端部の周りに前記巻き付け部を巻き付けることを特徴とする内視鏡装置用バルーンの装着方法。
【発明の詳細な説明】
【技術分野】
【０００１】
本発明は内視鏡装置用バルーン及びその装着方法に係り、特に内視鏡の挿入部や挿入補助具に装着される内視鏡装置用バルーン及びその装着方法に関する。
【背景技術】
【０００２】
内視鏡装置では、膨張・収縮するバルーンが様々な用途で用いられている。例えば、超音波検査装置では、超音波プローブの先端の超音波走査部を囲繞して超音波伝達媒体を充填するためにバルーンが用いられ、超音波内視鏡では、挿入部の先端の超音波トランスデューサを囲繞して超音波伝達媒体を充填するためにバルーンが用いられる。また、内視鏡の挿入部を体腔内に固定する用途で挿入部にバルーンが装着されたり、オーバーチューブ等の挿入補助具を体腔内に固定する用途で挿入補助具にバルーンが装着されたりしている。
【０００３】
このような内視鏡装置用バルーンは、その端部を取付対象物に被せ、その上から糸を巻回することによって固定される。例えば、特許文献１の超音波検出装置は、バルーンの端部をリングに被せ、その上から糸を巻回し、さらに接着剤を塗布することによって、バルーンを固定している。
【特許文献１】特開２００３−２３５８４７号公報
【発明の開示】
【発明が解決しようとする課題】
【０００４】
しかしながら、特許文献１は、バルーンの端部に糸を巻回して接着剤を塗布するため、バルーンの装着作業に手間がかかるという問題があった。
【０００５】
本発明はこのような事情に鑑みてなされたもので、簡単に装着することのできる内視鏡装置用バルーン及びその装着方法を提供することを目的とする。
【課題を解決するための手段】
【０００６】
請求項１に記載の発明は前記目的を達成するために、内視鏡装置のバルーン取付部にバルーン端部を被せて固定する内視鏡装置用バルーンにおいて、前記バルーン端部の外周面からテープ状または糸状に引き出されるとともに粘着部分を有する巻き付け部が、前記バルーン端部と一体的に形成されることを特徴とする。
【０００７】
請求項１に記載の発明によれば、テープ状または糸状の巻き付け部をバルーン端部に巻き付けることによって、巻き付け部がバルーン端部に粘着されるとともに、巻き付け部によってバルーン端部がバルーン取付部に固定される。よって、内視鏡装置用バルーンを容易に装着することができる。
【０００８】
請求項２に記載の発明は請求項１の発明において、前記バルーン端部には、前記巻き付け部が複数設けられ、該複数の巻き付け部を外側に引っ張ることによって前記バルーン端部が拡径されることを特徴とする。
【０００９】
請求項２に記載の発明によれば、複数の巻き付け部を外側に引っ張ることによってバルーン端部を拡径することができるので、バルーン端部を容易にバルーン取付部に被せることができる。また、バルーン端部の拡径に利用した巻き付け部を、バルーン端部に巻き付けることによって、バルーン端部をバルーン取付部に容易に固定することができる。よって、請求項２に記載の発明によれば、バルーンの装着作業をより簡単に行うことができる。
【００１０】
請求項３に記載の発明は、請求項１に記載された内視鏡装置用バルーンを内視鏡装置のバルーン取付部に装着する装着方法であって、前記バルーン端部を前記バルーン取付部に被せ、該バルーン端部の周りに前記巻き付け部を巻き付けることを特徴とする。
【００１１】
請求項３に記載の発明によれば、巻き付け部をバルーン端部に巻き付けるだけで簡単にバルーンを装着することができる。
【発明の効果】
【００１２】
本発明に係る内視鏡装置用バルーン及びその装着方法によれば、テープ状または糸状の巻き付け部をバルーン端部に巻き付けることによって、バルーン端部がバルーン取付部に固定されるので、内視鏡装置用バルーンを容易に装着することができる。
【発明を実施するための最良の形態】
【００１３】
以下、添付図面に従って本発明に係る内視鏡装置用バルーン及びその装着方法の好ましい実施形態について説明する。
【００１４】
図１は本発明に係る内視鏡装置用バルーン１００を用いた内視鏡装置を示すシステム構成図である。図１に示す内視鏡装置は主として、内視鏡１０、光源装置２０、プロセッサ３０、バルーン制御装置６６、及び挿入補助具７０で構成される。
【００１５】
内視鏡１０は、体腔内に挿入される挿入部１２と、この挿入部１２に連設される手元操作部１４とを備え、手元操作部１４には、ユニバーサルケーブル１６が接続される。ユニバーサルケーブル１６の先端にはＬＧコネクタ１８が設けられ、このＬＧコネクタ１８が光源装置２０に連結される。また、ＬＧコネクタ１８にはケーブル２２を介して電気コネクタ２４が接続され、この電気コネクタ２４がプロセッサ３０に連結される。なお、ＬＧコネクタ１８には、エアや水が供給される送気・送水用のチューブ２６や、エアが吸引される吸引用のチューブ２８が接続される。
【００１６】
手元操作部１４には、送気・送水ボタン３２、吸引ボタン３４、シャッターボタン３６が並設されるとともに、一対のアングルノブ３８、３８、及び鉗子挿入部４０が設けられる。さらに、手元操作部１４の基端部には、後述する第１バルーン１００に流体を供給したり、第１バルーン１００から流体を吸引したりするための供給・吸引口４４が設けられる。以下、流体としてエアを用いた例で説明するが、他の流体、例えば不活性ガスや水を用いてもよい。
【００１７】
挿入部１２は、先端部４６、湾曲部４８、及び軟性部５０で構成され、湾曲部４８は、手元操作部１４に設けられた一対のアングルノブ３８、３８を回動することによって遠隔的に湾曲操作される。これにより、先端部４６の先端面４７を所望の方向に向けることができる。先端面４７には、不図示の観察光学系、照明光学系、送気・送水ノズル、鉗子口等が設けられる。
【００１８】
挿入部１２の外周面には、ゴム等の弾性体から成る第１バルーン（内視鏡装置用バルーンに相当）１００が装着される。第１バルーン１００は、両端部が絞られた略筒状に形成されており、挿入部１２を挿通させた後に、第１バルーン１００の両端部を、後述する方法で挿入部１２に固定することによって装着される。
【００１９】
第１バルーン１００の装着位置となる挿入部１２の外周面には、通気孔６２（図２参照）が形成される。この通気孔６２は、図１の供給・吸引口４４に連通される。供給・吸引口４４にはチューブ６４が接続され、このチューブ６４がバルーン制御装置６６に接続される。バルーン制御装置６６は、チューブ６４を介して第１バルーン１００にエアを供給したり、エアを吸引したりするとともに、その際のエア圧を制御する装置であり、前面に設けられた操作ボタン６８によって操作される。なお、第１バルーン１００はエアを供給することによって略球状に膨張し、エアを吸引することによって挿入部１２の外表面に張り付くようになっている。
【００２０】
一方、挿入補助具７０は、筒状に形成され、挿入部１２の外径よりも僅かに大きい内径を有するとともに、十分な可撓性を備えている。挿入補助具７０の基端には、硬質の把持部７４が設けられており、この把持部７４から挿入部１２が挿入されるようになっている。挿入補助具７０の先端近傍には、ラテックス製の第２バルーン７２が装着される。第２バルーン７２は、両端が窄まった略筒状に形成されており、挿入補助具７０を貫通させた状態で装着される。第２バルーン７２にはチューブ７６が連通されており、このチューブ７６は挿入補助具７０の外表面に貼り付けられている。チューブ７６の基端部には、供給・吸引口７８が形成され、この供給・吸引口７８にチューブ８０が連結される。チューブ８０は、バルーン制御装置６６に連結され、このバルーン制御装置６６によってエアが供給・吸引される。これにより、第２バルーン７２にエアを供給、吸引して、第２バルーン７２を膨張・収縮させることができる。第２バルーン７２は、エアを供給することによって略球状に膨張し、エアを吸引することによって挿入補助具７０の外周面に貼りつくようになっている。なお、図１の符号８４は、挿入補助具７０の内周面と挿入部１２の外周面との間に潤滑剤（例えば水）を注入するための注入口である。
【００２１】
上記の如く構成された内視鏡装置では、まず、内視鏡１０の挿入部１２に挿入補助具７０を被せておき、この状態で体腔内に挿入する。そして、第１バルーン１００を縮めた状態で挿入部１２だけを腸管に挿入し、挿入後に第１バルーン１００を膨張させ、腸管に係合させる。そして、第２バルーン７２を縮めた状態で挿入補助具７０を挿入部１２に沿って押し入れていき、第２バルーン７２を第１バルーン１００の手前近傍で膨張させ、腸管に係合させる。この状態で、挿入補助具７０を手繰り寄せて、挿入補助具７０の余分な撓みや屈曲を無くす。そして、第１バルーン１００を縮めた後、挿入部１２を体腔内に挿入して上記の操作を繰り返す。これにより、挿入部１２を腸管の深部に挿入することができる。
【００２２】
図２は、上述した第１バルーン（すなわち、内視鏡装置用バルーンに相当）１００の第一の実施形態を示す斜視図である。図２に示すように、第１バルーン１００は、径の小さいバルーン端部１０２、１０２と径の大きい中央の膨縮部１０４で構成されている。この第１バルーン１００は、内視鏡の挿入部１２に被せた後、二点鎖線で示す装着位置（バルーン取付部に相当）に配置され、固定される。
【００２３】
バルーン端部１０２、１０２の外周面には、テープ状に形成された巻き付け部（以下、テープ状部材という）１０６、１０６が取り付けられている。テープ状部材１０６は、バルーン端部１０２や膨縮部１０４と同じ材質、例えば天然ゴムから成り、バルーン端部１０２や膨縮部１０４と一体成形により作られる。テープ状部材１０６の長手方向の長さは、バルーン端部１０２を一周以上巻き付けられる長さに設定される。また、テープ状部材１０６の幅寸法は、バルーン端部１０２の幅寸法と同一、或いはバルーン端部１０２の幅寸法よりも小さく設定される。
【００２４】
また、テープ状部材１０６の片面には、粘着剤層１０８が形成され、この粘着剤層１０８に剥離紙１１０が貼り合わされている。粘着剤層１０８は、テープ状部材１０６の面全体に形成することが好ましいが、テープ状部材１０６の先端部のみであってもよい。
【００２５】
次に上記の如く構成された第１バルーン１００の装着方法について説明する。
【００２６】
まず、第１バルーン１００を挿入部１２に被せて、図２の二点鎖線で示す装着位置に配置する。そして、剥離紙１１０を粘着剤層１０８から引き剥がした後、図３に示すようにテープ状部材１０６をバルーン端部１０２の周りに巻き付ける。その際、テープ状部材１０６を長手方向に緊張させた状態で、且つ粘着剤層１０８が内側になるようにして、テープ状部材１０６を巻き付ける。これにより、テープ状部材１０６がバルーン端部１０２を締め付けた状態でバルーン端部１０２に貼り付けられるので、バルーン端部１０２が挿入部１２に固定される。
【００２７】
このように第一の実施形態によれば、バルーン端部１０２の外周面に、粘着剤層１０８の付いたテープ状部材１０６が設けられているので、テープ状部材１０６をバルーン端部１０２に巻き付けるだけで、バルーン端部１０２を挿入部１２に固定することができる。よって、第１バルーン１００の装着作業を容易に行うことができる。
【００２８】
なお、上述した第一の実施形態において、テープ状部材１０６を長手方向に少し伸長させて弾性変形させた状態でバルーン端部１０２に巻き付けることが好ましい。これにより、バルーン端部１０２は、テープ状部材１０６の復元力によって締め付けられた状態で固定されるので、バルーン端部１０２をより確実に固定することができる。
【００２９】
また、上述した第一の実施形態では、巻き付け部をテープ状に形成したが、巻き付け部の形状はテープ状に限定されるものではなく、バルーン端部１０２に巻き付け可能な長尺状に形成されていればよい。したがって、例えば、下記に示すような線状（糸状）に形成してもよい。
【００３０】
図４は、第１バルーン１００の第二の実施形態を示す斜視図である。同図に示すバルーン端部１０２の外表面には、糸状の巻き付け部（以下、糸状部材という）１１２が設けられている。糸状部材１１２は、第１バルーン１００の成形時に糸をバルーン端部１０２に埋め込むことによって作られる。糸状部材１１２の長さは、バルーン端部１０２を数周回巻き付けられる長さに設定されている。また、糸状部材１１２の表面には粘着剤層（不図示）が形成されており、この粘着剤層に剥離紙（不図示）が貼り合わされている。
【００３１】
上記の如く構成された第二の実施形態では、第１バルーン１００を挿入部１２の装着位置に配置した後、糸状部材１１２から剥離紙を剥離し、さらに糸状部材１１２をバルーン端部１０２に数周回巻き付ける。このとき、糸状部材１１２を螺旋状に密に巻き付けて、糸状部材１１２が重ならないようにすることが好ましい。こうしてバルーン端部１０２に糸状部材１１２を巻き付けると、糸状部材１１２の表面の粘着剤層によって糸状部材１１２がバルーン端部１０２に固定される。よって、バルーン端部１０２が糸状部材１１２に締め付けられた状態に固定される。このように第二の実施形態によれば、糸状部材１１２をバルーン端部１０２に巻き付けるだけでバルーン端部１０２を挿入部１２に固定することができ、第１バルーン１００を容易に装着することができる。
【００３２】
なお、上述した第二の実施形態では、糸をバルーン端部１０２に埋め込んだ状態に成形加工することによって糸状部材１１２を形成したが、糸状部材１１２の形成方法はこれに限定するものではなく、例えば、上述した第一の実施形態と同様にバルーン端部１０２や膨縮部１０４と同じ材質で一体成形するようにしてもよい。
【００３３】
図５は、第１バルーン１００の第三の実施形態を示す斜視図である。同図に示すように、第三の実施形態では、各バルーン端部１０２にそれぞれ一対の糸状部材１１２、１１２が取り付けられている。一対の糸状部材１１２、１１２は、バルーン端部１０２の開口を挟んで略１８０°反対側に取り付けられる。なお、各糸状部材１１２は第二の実施形態で説明したものと同様に形成される。
【００３４】
上記の如く構成された第三の実施形態は、一対の糸状部材１１２、１１２をそれぞれ外側に引っ張ることによって、バルーン端部１０２の開口を拡げることができる。したがって、バルーン端部１０２を挿入部１２に容易に被せることができる。
【００３５】
また、第三の実施形態は、第二の実施形態と同様に、糸状部材１１２、１１２をバルーン端部１０２に巻き付けるだけで、バルーン端部１０２を挿入部１２に固定することができる。なお、一対の糸状部材１１２、１１２を巻き付ける際は、一対の糸状部材１１２、１１２を同時に螺旋状に巻き付けてもよいし、一方の糸状部材１１２を巻き付けた後、その上に他方の糸状部材１１２を巻き付けてもよい。また、一対の糸状部材１１２、１１２をそれぞれ反対方向に巻いてもよく、その場合には、糸状部材１１２、１１２の端部同士で結び目を作り、より強固に固定するようにしてもよい。
【００３６】
以上説明したように第三の実施形態によれば、バルーン端部１０２に取り付けた一対の糸状部材１１２、１１２を用いてバルーン端部１０２の開口を拡径できるとともに、その一対の糸状部材１１２、１１２を用いてバルーン端部１０２を挿入部１２に固定することができる。したがって、第三の実施形態によれば、第１バルーン１００の装着作業をより簡単に行うことができる。
【００３７】
なお、上述した第三の実施形態では、バルーン端部１０２に一対の糸状部材１１２、１１２を設けるようにしたが、糸状部材１１２の数はこれに限定するものではなく、各バルーン端部１０２に複数の糸状部材１１２が取り付けられていればよい。
【００３８】
図６は、第１バルーン１００の第四の実施形態を示す斜視図である。同図に示す第１バルーン１００は、バルーン端部１０２にそれぞれテープ状部材１０６と糸状部材１１２が設けられている。テープ状部材１０６は、上述した第一の実施形態と同様に形成されており、糸状部材１１２は、上述した第二の実施形態と同様に形成されている。テープ状部材１０６と糸状部材１１２は、バルーン端部１０２の開口を挟んで略１８０°反対側に取り付けられており、このテープ状部材１０６と糸状部材１１２を外側に同時に引っ張ることによって、バルーン端部１０２の開口を拡径することができる。よって、バルーン端部１０２を挿入部１２に容易に被せることができる。
【００３９】
第四の実施形態において、バルーン端部１０２を挿入部１２に固定する際は、まず、糸状部材１１２をバルーン端部１０２に巻き付ける。そして、糸状部材１１２の上にテープ状部材１０６を巻き付ける。これにより、糸状部材１１２が弛むおそれがないので、バルーン端部１０２をより確実に固定することができる。
【００４０】
図７は、第１バルーン１００の第五の実施形態を示す斜視図である。同図に示す第１バルーン１００は、図２に示した第一の実施形態と同様に、バルーン端部１０２の外周面にテープ状部材１０６が取り付けられている。テープ状部材１０６は、第一の実施形態で説明したように、バルーン端部１０２や膨縮部１０４と同じ材質で形成され、片面に粘着剤層１０８（図２参照）が形成される。
【００４１】
また、各バルーン端部１０２には、切断用の糸１１４が取り付けられている。この糸１１４は、第１バルーン１００の軸方向に沿って配置されるとともに、その先端がバルーン端部１０２から突出した状態で、バルーン端部１０２の内周面に貼り付けられる。なお、糸１１４の基端部は、第１バルーン１００に埋め込み固定される。
【００４２】
上記の如く構成された第五の実施形態は、第一の実施形態と同様に、第１バルーン１００を挿入部１２に被せて所定の装着位置に配置した後、剥離紙１１０を剥がしてテープ状部材１０６をバルーン端部１０２に巻き付けることによって簡単に装着することができる。ただし、第五の実施形態では、第１バルーン１００を装着する際に、図８に示す如く、糸１１４の先端をバルーン端部１０２から突出させておく。
【００４３】
装着した第１バルーン１００を挿入部１２から取り外す場合、まず、糸１１４の先端を摘まみ、外側に引っ張る。これにより、図９に示すように、バルーン端部１０２とテープ状部材１０６が糸１１４によって切断される。このとき、バルーン端部１０２とテープ状部材１０６が同じ材質で形成されているので、糸１１４によって簡単に切断することができる。切断後は、第１バルーン１００を外側方向に引っ張るだけで、挿入部１２から簡単に取り外すことができる。このように、第五の実施形態によれば、切断用の糸１１４、１１４が取り付けられているので、第１バルーン１００を簡単に取り外すことができる。
【００４４】
なお、上述した第一〜第五の実施形態は、内視鏡１０の挿入部１２に装着する第１バルーン１００に本発明を適用した例であるが、本発明が適用されるバルーンはこれに限定するものではなく、内視鏡装置に使用されるバルーンであればよい。したがって、例えば、図１の第２バルーン７２に適用してもよい。また、超音波プローブ等の内視鏡処置具に装着されるバルーンや、内視鏡の鉗子チャンネルに挿入されて挿入部１２を挿入案内する挿入案内具に装着されるバルーンに適用してもい。
【００４５】
また、上述した第一〜第五の実施形態は、両端に開口を有する略筒状の第１バルーン１００の例で説明したが、バルーン形状はこれに限定するものではなく、一方の端部のみが開口された袋状のバルーンであってもよい。この場合にも、バルーン端部に長尺状（例えばテープ状、或いは線状）の巻き付け部を形成することによって、バルーンの装着作業を容易に行うことができる。
【図面の簡単な説明】
【００４６】
【図１】本発明に係る内視鏡用バルーンが適用された内視鏡装置を示すシステム構成図
【図２】内視鏡装置用バルーンの第一の実施形態を示す斜視図
【図３】図２に示したバルーンの装着方法を説明する斜視図
【図４】内視鏡装置用バルーンの第二の実施形態を示す斜視図
【図５】内視鏡装置用バルーンの第三の実施形態を示す斜視図
【図６】内視鏡装置用バルーンの第四の実施形態を示す斜視図
【図７】内視鏡装置用バルーンの第五の実施形態を示す斜視図
【図８】図７のバルーンを挿入部に装着した状況を示す斜視図
【図９】図８のバルーンの取り外し方法を説明する斜視図
【符号の説明】
【００４７】
１０…内視鏡、１２…挿入部、１００…第１バルーン（内視鏡装置用バルーンに相当）、１０２…バルーン端部、１０４…膨縮部、１０６…テープ状部材（巻き付け部に相当）、１０８…粘着剤層、１１０…剥離紙、１１２…糸状部材（巻き付け部に相当）、１１４…切断用の糸
【図１】
2005270236.tif 000003
【図２】
2005270236.tif 000004
【図３】
2005270236.tif 000005
【図４】
2005270236.tif 000006
【図５】
2005270236.tif 000007
【図６】
2005270236.tif 000008
【図７】
2005270236.tif 000009
【図８】
2005270236.tif 000010
【図９】
2005270236.tif 000011